(57)【要約】【課題】汎用性の高い支持物品を提供する。【解決手段】本発明に係る支持物品（１００）は，対象物の内部に配置される内装部材（１０）と，対象物の外面に接するように配置されるベース部材（２０）と，内装部材（１０）とベース部材（２０）とを連結する連結部材（３０）と，ベース部材（２０）に対し対象物の下方に向かって展開可能に取付けられる脚部材（４０）と，を備える。【選択図】図１
2015222119.tif 000002
【特許請求の範囲】
【請求項１】
対象物の外面に接するように配置されるベース部材と，
前記ベース部材に対し展開可能に取付けられる脚部材と，
を備えたことを特徴とする支持物品。
【請求項２】
前記対象物の内部に配置される内装部材と，
前記内装部材と前記ベース部材とを連結する連結部材と，
をさらに備えたことを特徴とする請求項１記載の支持物品。
【請求項３】
前記脚部材は，ヒンジ構造をなすように前記ベース部材に固定され，前記対象物の下方に向かって回動するように構成されている
請求項２に記載の支持物品。
【請求項４】
前記内装部材は，前記対象物の底部に配置され，
前記ベース部材は，前記対象物の外部の底面に接するように配置される
請求項２又は請求項３に記載の支持物品。
【請求項５】
前記連結部材は，磁力によって前記内装部材と前記ベース部材とを連結する
請求項１から請求項４のいずれかに記載の支持物品。
【請求項６】
前記ベース部材と前記脚部材の回動軸との間である係止位置に位置している状態において，前記脚部材の回動を阻止する係止部材と，
前記ベース部材に取り付けられ，前記係止部材が前記係止位置に位置するように付勢する付勢部材と，をさらに有する
請求項３に記載の支持物品。
【請求項７】
前記ベース部材は，前記対象物の外部の底面に取り付けられ，
前記脚部材は，床接地面が上方になるように前記ベース部材内に収納された収納位置と，前記床接地面が下方になる全回位置との間で回動軸を中心に回動自在に設けられたヒンジ構造を有し，前記ベース部材と前記全回位置において前記床接地面を伸張した平面との間に空隙が設けられるように前記ベース部材に取り付けられた
請求項１記載の支持物品。
【請求項８】
前記脚部材は，前記回動軸から前記対象物と離反する方向における前記ベース部材の端部までの長さより，前記回動軸から前記床接地面までの長さの方が長くなるように前記ベース部材に取り付けられた
請求項７記載の支持物品。
【請求項９】
前記脚部材は，前記回動軸から前記対象物と離反する方向における前記ベース部材の端部までの長さより，前記回動軸から前記床接地面に対向する脚本体面までの長さの方が短くなるように前記ベース部材に取り付けられた
請求項７または８記載の支持物品。
【請求項１０】
前記脚部材が全回位置にある場合に，前記脚部材の回動を阻止する係止部材
をさらに備えた請求項７記載の支持物品。
【請求項１１】
前記脚部材が収納位置にある場合に，前記脚部材の回動を阻止する係止部材
をさらに備えた請求項７または１０記載の支持物品。
【請求項１２】
前記ベース部材には，前記ベース部材内に収納された状態において，回動される先端が向き合うように１対の前記脚部材が設けられた
請求項７〜１１のいずれか１項記載の支持物品。
【発明の詳細な説明】
【技術分野】
【０００１】
本発明は，鞄等の対象物に取り付けて使用する支持物品に関する。具体的に説明すると，本発明の支持物品は，対象物が直接地面に触れないように，この対象物を支持する脚として機能する物品である。
【背景技術】
【０００２】
現在，例えば，書類や私物，携行品などを収納して持ち運ぶための鞄は，様々な者にとって必須である。鞄には手提げタイプや肩掛けタイプなど種々のものがあるが，特に手提げタイプの鞄は，大量の書類などを収納すると総重量が重くなるため，鞄を持ち続けると疲弊してくる。ただし，鞄を所有するものの中には，鞄を直接地面や床の上に置くことを嫌うものも多く存在する。
【０００３】
ここで，従来から，伸縮可能な脚が取り付けられた鞄が知られている（特許文献１）。この従来の脚付き鞄は，鞄本体の側部に伸縮可能なパイプ部材が固定されており，このパイプ部材を引き伸ばすことで，鞄の脚として機能させることができる。これにより，この脚付き鞄は，鞄本体を地面から浮かせた状態で支持できるようになっている。
【先行技術文献】
【特許文献】
【０００４】
【特許文献１】実登３０３９５４０号
【発明の概要】
【発明が解決しようとする課題】
【０００５】
しかしながら，従来の脚付き鞄は，脚部材（パイプ部材）が鞄本体に備え付けられたものであり取り外しが困難であった。言い換えると，従来の脚部材は，ある特定の鞄にしか取付けることのできない専用品であるため，他の鞄に付け替えたり，市販されている一般的な鞄に対して汎用的に取付けたりすることができないものであった。このため，消費者が，脚付きの鞄が欲しいと思っても，予め脚部材が取り付けられている特定のデザインの鞄の中からしか選択することができない。このような事情が，脚付き鞄の普及の妨げとなっている一因であると考えられる。
【０００６】
このため，本発明は，市販されている様々な種類の鞄（対象物）に対し，後からでも簡単に取り付けることのできる，汎用性の高い支持物品（脚部材）を提供することを解決課題とする。
【課題を解決するための手段】
【０００７】
本発明の発明者は，上記の従来の問題の解決手段について鋭意検討した結果，鞄等の対象物の外部に配置されるベース部材と，このベース部材に展開可能な脚部材との構成を有することで，様々な種類の対象物に簡単に取り付けることのできる汎用性の高い支持物品が得られるという知見を得た。そして，本発明者は，上記知見に基づけば，従来技術の課題を解決できることに想到し，本発明を完成させた。
【０００８】
具体的には，本発明の支持物品は，対象物の外面に接するように配置されるベース部材と，ベース部材に対し展開可能に取付けられる脚部材とを備えている。このような構成を有するので，ベース部材を対象物に取り付けるだけで対象物を地面から浮かせた状態で支持できる。そのため，対象物の大がかりが改造を必要とせず，支持物品を後からでも簡単に取り付けて利用することができる。
【０００９】
さらに，本発明の発明者は，鞄等の対象物の内部に配置される内装部材と，この対象物の外部に配置されるベース部材とを連結し，このベース部材に展開可能な脚部材を取り付けることで，様々な種類の対象物に簡単に取り付けることのできる汎用性の高い支持物品が得られるという知見を得た。
【００１０】
具体的に説明すると，本発明は以下の構成を有する。
【００１１】
本発明は，鞄等の対象物に取り付けて使用する支持物品に関する。
【００１２】
本発明の支持物品は，内装部材１０と，ベース部材２０と，連結部材３０と，脚部材４０とを備える。
【００１３】
内装部材１０は，対象物の内部に配置される。ベース部材２０は，対象物の外面に接するように配置される。連結部材３０は，内装部材１０とベース部材２０とを連結する。脚部材４０は，ベース部材２０に対し対象物の下方に向かって展開可能に取付けられる。
【００１４】
上記構成のように，本発明の支持物品では，脚部材４０が，対象物の底面と地面との間に空間を形成する。このため，本発明の支持物品は，地面から浮いた状態で対象物を支持することができる。また，本発明の支持物品は，内装部材１０とベース部材２０とで対象物の外面を挟み込むことにより対象物に固定されるというシンプルな構造となっている。このため，この支持物品は，予め鞄に取り付けた状態で販売することもできるし，消費者が自分で所有する対象物に後から取り付けることもできる。ただし，支持物品（鞄）の底に孔を開ける必要がある場合もある。さらに，脚部材４０は，ベース部材２０の内部に収納可能である。このため，脚部材４０を使う必要のないときには，本発明の支持物品をコンパクトな形状としておくことができる。
【００１５】
本発明の支持物品において，脚部材４０は，ヒンジ構造をなすようにベース部材２０に固定され，対象物の下方に向かって回動するように構成されていることとしてもよい。
【００１６】
上記構成のように，脚部材４０を回動可能な部材とすることで，支持物品の構造を簡素化することができる。
【００１７】
本発明の支持物品において，内装部材１０は，対象物の底部に配置され，ベース部材２０は，対象物の外部の底面に接するように配置されることとしてもよい。
【００１８】
上記構成のように，ベース部材２０を対象物の底面に固定することで，支持物品が殆ど目立たなくなる。このため，対象物のデザイン性を損なうことなく，本発明の支持物品を取り付けることができる。
【００１９】
本発明の支持物品において，連結部材３０は，磁力によって内装部材１０とベース部材２０とを連結することとしてもよい。例えば，ベース部材２０が磁性体（鉄板等）で形成されている場合には，連結部材３０は，内装部材１０に取り付けられる磁石とすればよい。また，連結部材３０は，ベース部材２０と連結部材３０のそれぞれに取り付けられた磁石であってもよい。
【００２０】
上記構成のように，連結部材３０を磁石等で構成することで，鞄等の対象物に孔を開ける必要がなくなるため，対象物を傷つけずに，本発明の支持物品を取り付けることが可能となる。
【００２１】
本発明の支持物品は，さらに，係止部材５０と付勢部材６０とを備えることが好ましい。
【００２２】
係止部材５０は，ベース部材２０と脚部材４０の回動軸との間の位置（「係止位置」という）に配置することができる。係止部材５０が，この係止位置に位置している状態において，脚部材４０は回動ができないようにロックされている。また，係止部材５０をこの係止位置からずらすことで，脚部材４０はロックが解除されるようになっている。また，付勢部材６０は，ベース部材２０に取り付けられる部材であり，係止部材５０が係止位置に位置するように付勢している。付勢部材６０は，ゴムなどの弾性体や，バネなどの伸縮体によって構成することができる。
【００２３】
上記構成のように，係止部材５０と付勢部材６０とを設けることで，脚部材４０が地面に接して対象物を支持している状態において，不用意に脚部材４０が折り畳まれてしまうような事態を防止できる。このため，支持物品によって，安定的に対象物を支持することが可能となる。
【００２４】
本発明の支持物品において，ベース部材は，対象物の外部の底面に取り付けられ，脚部材は，床接地面が上方になるようにベース部材内に収納された収納位置と，床接地面が下方になる全回位置との間で回動軸を中心に回動自在に設けられたヒンジ構造を有し，ベース部材と全回位置において床接地面を伸張した平面との間に空隙が設けられるようにベース部材に取り付けられていることとしてもよい。
【００２５】
これにより，脚部材が全回位置のときに支持物品を含む対象物が床面に載置されると，ベース部材と床面との間に空隙が設けられるので，ベース部材が床面に接することはない。このように，脚部材が全回位置のときには，ベース部材が床面に接することはないので，ユーザは，床面を汚したくない場合，脚部材を，収納位置から全回位置へ回動させた後に，対象物を床面に載置することにより，床面を汚すことなく対象物を載置することができる。
【００２６】
本発明の支持物品において，脚部材は，回動軸から対象物と離反する方向におけるベース部材の端部までの長さより，回動軸から床接地面までの長さの方が長くなるようにベース部材に取り付けられることとしてもよい。
【００２７】
これにより，脚部材が全回位置のときには，ベース部材と床面との間に確実に空隙を設けられることができる。
【００２８】
本発明の支持物品において，脚部材は，回動軸から対象物と離反する方向におけるベース部材の端部までの長さより，回動軸から床接地面に対向する脚本体面までの長さの方が短くなるようにベース部材に取り付けられることとしてもよい。
【００２９】
これにより，脚部材はベース部材内に完全に収納されることになる。そのため，脚部材がベース部材内に収納されている状態で支持物品を含む対象物が床面に載置されたとしても，脚部材の脚本体面が床面に接触することを防止することができる。そのため，脚本体面を汚すことなく常に清潔な状態を保つことができる。
【００３０】
本発明の支持物品において，脚部材が全回位置にある場合に，脚部材の回動を阻止する係止部材をさらに備えるようにしてもよい。
【００３１】
これにより，脚部材を全回状態で保持することができ，不用意に，脚部材が回動してしまうことを防止できる。
【００３２】
本発明の支持物品において，脚部材が収納位置にある場合に，脚部材の回動を阻止する係止部材をさらに備えるようにしてもよい。
【００３３】
これにより，脚部材を収納状態で保持することができ，不用意に，脚部材が回動してしまうことを防止できる。
【００３４】
本発明の支持物品において，ベース部材には，ベース部材内に収納された状態において，回動される先端が向き合うように１対の脚部材が設けられるようにしてもよい。
【００３５】
これにより，脚部材が全回位置の場合に，ベース部材から対象物が転倒し易い方向に向かって脚部材が迫り出すように支持物品が取り付けられることにより，脚部材が支えとなって対象物の転倒を防止することができる。
【発明の効果】
【００３６】
本発明によれば，市販されている様々な種類の対象物に対し，後からでも簡単に取り付けることのできる，汎用性の高い支持物品（脚部材）を提供することができる。
【図面の簡単な説明】
【００３７】
【図１】図１は，本発明の一実施形態に係る支持物品の構造を示した分解斜視図である。
【図２】図２は，支持物品が鞄（対象物）の底面に取り付けられている状態の例を示した参考図である。
【図３】図３は，支持物品の断面構造を示した断面図である。
【図４】図４は，本発明の一実施形態に係る支持物品の変形例を示している。
【図５】図５は，本発明の一実施形態に係る支持物品の他の変形例を示している。
【図６】図６は，本発明の一実施形態に係る支持物品の改良例の構造を示した分解斜視図である。
【図７】図７は，支持物品の改良例を組み立てた状態を示している。
【図８】図８は，支持物品の改良例の動作を示している。
【図９】図９は，支持物品の改良例の一連の動作を示している。
【図１０】図１０は，本発明の一実施形態に係る支持物品を対象物（鞄）の底面に取り付けた状態の例を示した斜視図である。
【図１１】図１１は，本発明の一実施形態に係る支持物品を対象物（鞄）の底面に取り付けた状態の例を示した斜視図である。
【図１２】図１２は，本発明の一実施形態に係る支持物品を対象物（鞄）の底面に取り付けた状態の例を示した拡大斜視図である。
【図１３】図１３は，本発明の一実施形態に係る支持物品を模式的に示した側面図である。（ａ）は，脚部材が収納位置あるときの側面図であり，（ｂ）は，脚部材が全回位置あるときの側面図である。
【図１４】図１４は，本発明の一実施形態に係る支持物品の平面図である。
【図１５】図１５は，本発明の一実施形態に係る支持物品の拡大側面図である。
【図１６】図１６は，係止板と突起部との係止動作を模式的に示した図である。（ａ）は，係止板１２１と突起部とが係止されていない状態を示した図であり，（ｂ）は，係止板１２１と突起部とが係止された状態を示した図である。
【図１７】図１７（ａ）は，本発明の一実施形態に係る支持物品の脚部材が全回位置であるときの側面図であり，図１７（ｂ）は，脚部材が収納位置であるときの側面図である。
【発明を実施するための形態】
【００３８】
以下，図面を用いて本発明を実施するための形態について説明する。本発明は，以下に説明する形態に限定されるものではなく，以下の形態から当業者が自明な範囲で適宜修正したものも含む。
【００３９】
本発明は，対象物に取り付けて使用される支持物品に関する。本発明の支持物品を取付け可能な「対象物」は，特に限定されない。対象物の例は，手提げ鞄，肩掛け鞄，キャリーケース，及びウェストポーチ等の鞄類である。また，対象物は，手提げ袋，レジ袋，エコバッグ，トートバック等の袋類であってもよい。また，対象物は，段ボール箱や，プラスチックケース等の箱類であってもよい。その他にも，本発明の支持物品は，タンスや本棚などの家具類や，炊飯器や電子レンジなどの家庭用電子機器類にも取り付けることができる。ただし，以下では，対象物が鞄である場合を例にも挙げて，本発明の具体的な内容を説明する。
【００４０】
図１は，本発明の一実施形態に係る支持物品１００の構成部材の例を示している。また，図２は，支持物品１００を対象物（鞄）の底面に取り付けた状態の例を示している。図１に示されるように，支持物品１００は，内装部材１０と，ベース部材２０と，連結部材３０と，脚部材４０とを含んで構成されている。
【００４１】
内装部材１０は，対象物の内部に配置される部材である。図２では，内装部材１０が描画されていないが，これは内装部材１０が対象物の内部に配置されているためである。図１及び図２等に示した実施形態において，内装部材１０は，対象物の内部の底部に敷くようにして配置される。内装部材１０は，例えばプラスチック板で形成することとしてもよいし，鉄板や銅板のような金属板で形成することとしてもよい。
【００４２】
ベース部材２０は，対象物の外部に配置される部材である。図１及び図２等に示した実施形態において，ベース部材２０は，対象物の外面をなす底面に接触するように取り付けられる。ベース部材２０は，ある程度（２〜５ｍｍ程度）の高さを持ち，内部に収納空間のある形状であることが好ましい。ベース部材２０は，プラスチック製であってもよいし，金属製であってもよい。
【００４３】
連結部材３０は，内装部材１０とベース部材２０を連結するための部材である。図１等に示した実施形態において，連結部材３０は，複数のビス３１と複数のビス受け３２とを含む。図１に示されるように，内装部材１０とベース部材２０には，それぞれ対応する位置に，小孔が形成されている。また，内装部材１０とベース部材２０の小孔に対応するようにして，対象物の底面にも小孔が形成される。これにより，ビス３１とビス受け３２を，内装部材１０，ベース部材２０，及び対象物に形成された小孔のそれぞれに挿し込むことで，内装部材１０とベース部材２０とを連結し，対象物の底面に取り付けることができる。なお，図１に示した，連結部材３０（３１，３２）はハドメを使用した図であり，この仕様では一度取り付けると取り外しはできない。他方，連結部材３０（３１，３２）をボルトとナットにすることで取り外しが可能となる。
【００４４】
また，図示は省略するが，連結部材３０は，磁力によって，内装部材１０とベース部材２０とを連結するものであってもよい。例えば，内装部材１０が鉄板などの強磁性体である場合，連結部材３０は，ベース部材２０に固定された磁石板とすればよい。これにより，磁石板（連結部材３０）と鉄板（内装部材１０）が磁力によって連結する。また，反対に，ベース部材２０を鉄製などの強磁性体とし，連結部材３０に磁石板を取り付けるか，若しくは連結部材３０自体を磁石で構成することとしてもよい。また，内装部材１０とベース部材２０のそれぞれに，連結部材３０としての磁石を取り付けることもできる。このように，連結部材３０として磁石を利用することで，対象物に小孔を形成しなくても，支持物品１００と対象物に取り付けることが可能となる。
【００４５】
脚部材４０は，ベース部材２０に対して展開可能に取付けられる部材である。つまり，脚部材４０は，ベース部材２０に取り付けられた状態において，対象物の下方（地面や床が存在する方向）に向かって展開する部材である。図１及び図２等に示した実施形態において，脚部材４０は，ヒンジ構造をなすように，ベース部材２０に固定されている。具体的には，脚部材４０の回動軸に沿って，軸芯４１が挿入されており，この軸芯４１によって，脚部材４０とベース部材２０が連結している。脚部材４０は，軸芯４１の軸方方向に沿った回動軸を有する。このため，脚部材４０は，この回動軸を回動中心として，対象物の下方に向かって，ベース部材２０に対して，約９０度回動するようになっている。すなわち，脚部材４０の回動角度（ベース部材２０と脚部材４０のなす角）は，例えば，８０〜１５０度，９０〜１２０度，又は９５〜１１０度程度に調整すればよい。脚部材４０の回動角度を調節するためには，脚部材４０がベース部材２０の側壁に当接する角度を調節すればよい。このように，脚部材４０は，展開状態において，ベース部材２０とのなす角が約９０度となる。ただし，勝手に折り畳まれてないように実際は９５度ほど開くように調整することが好ましい。これにより，展開状態にある脚部材４０は，対象物と地面との間に空間を形成する脚として機能する。従って，対象物が脚部材４０によって支持されるため，対象物の底面と地面とが直接接しないようになる。また，脚部材４０は，折り畳むことができる。つまり，脚部材４０を回動させて，ベース部材２０の内部空間に収納することにより，脚部材４０とベース部材２０が重なって，折り畳まれる。これにより，脚部材４０をコンパクトに収納しておくことができる。
【００４６】
脚部材４０の高さは，対象物を地面から浮かせたい高さに応じて，適宜調節することができる。例えば，脚部材４０の高さは，２０ｍｍ以上であることが好ましく，２０〜１００ｍｍ，２５〜６０ｍｍ，又は３０〜４０ｍｍの範囲で調整すればよい。
【００４７】
図３は，図１及び図２に示した実施形態に係る支持物品１００を模式的に示す断面図である。図３（ａ）及び図３（ｂ）に示されるように，支持物品１００，脚部材４０を回動させることができる。図３（ａ）に示されるように，脚部材４０が下方に向かって起立している状態において，対象物と地面との間には空間が形成される。他方，図３（ｂ）に示されるように，脚部材４０をベース部材２０の中に収納することで，支持物品１００をコンパクトな形状とすることできる。
【００４８】
また，図３に示されるように，ベース部材２０と脚部材４０には，それぞれ，爪部２１，４２が形成されている。ベース部材２０の爪部２１と，脚部材４０の爪部４２は，それぞれ互いに対応する位置に形成されている。そして，図３（ｂ）に示されるように，脚部材４０を折り畳んでベース部材２０内に収納したときに，脚部材４０の爪部４２が，ベース部材２０の爪部２１に係合するようになっている。これにより，爪部２１，４２同士の係合によって，脚部材４０が折り畳まれている状態が維持される。このようにして脚部材４０の状態を保持しておくことで，脚部材４０を収納した状態で対象物を搬送しても，不用意に，脚部材４０が展開してしまうことを防止できる。
【００４９】
本発明に係る支持物品１００は，対象物（鞄）に予め取り付けて対象物（鞄）とともに販売することもできるし，対象物（鞄）とは別売りとすることもできる。例えば，消費者は，支持物品１００を個別に購入して，既に自己で所有している対象物（鞄）に取り付けて使用することも可能である。従って，本発明によれば，汎用性の高い支持物品１００を提供することができる。
【００５０】
図４は，本発明に係る支持物品１００の変形例を示している。図４に示されるように，本発明の支持物品１００は，対象物の側面に取り付けて使用されるものであってもよい。すなわち，支持物品１００は，内装部材１０（図示省略）が対象物の内部の側部に配置される。また，ベース部材２０が，対象物の外面の側面に配置される。連結手段３０（図示省略）は，対象物の側部に取り付けられた内装部材１０とベース部材２０とを連結する。そして，脚部材４０は，ベース部材２０に対して，約１８０度回動するように固定されている。例えば，脚部材４０の回動角度は，１３０〜２００度，又は１５０〜１８０度の範囲に調節すればよい。このように，本発明の支持物品１００は，対象物の側面に取り付けて使用することも可能である。
【００５１】
図５は，本発明に係る支持物品１００の他の変形例を示している。図５に示されるように，支持物品１００が対象物の側面に取付けられる形態である場合，脚部材４０は，ベース部材２０に対して直線的に伸縮して展開するような棒状の部材であってもよい。このように，棒状の脚部材４０を出し入れすることによっても，対象物を地面から離して保持することができる。
【００５２】
図６〜図９は，本発明に係る支持物品１００の改良例を説明するための図である。図６〜図９に示した改良例においても，支持物品１００は，基本的に，内装部材１０（図示省略）と，ベース部材２０と，連結部材３０（図示省略）と，脚部材４０とを備えている。これらの部材に加え，支持物品１００の改良例は，さらに，係止部材５０と付勢部材６０とを備える。図６は，ベース部材２０と，脚部材４０と，係止部材５０をそれぞれ分離した状態を示している。
【００５３】
図６に示されるように，係止部材５０は，略十字型の形状を有しており，脚部材４０の回動軸と同じ方向に延びる横軸部分５１と，この横軸部分５１と直交する縦軸部分５２とを有している。また，係止部材５０の横軸部分５１と縦軸部分５２は，それぞれ，平面を持つ扁平な形状となっている。
【００５４】
また，図６に示されるように，脚部材４０の回動軸の中央付近の一部には，平面部分４３が形成されている。この脚部材４０の回動軸の平面部分４３は，組立後の状態において，係止部材５０の横軸部分５１の平面と対面するように当接する。また，脚部材４０の回動軸の中央の一部には，切欠き４４が形成されている。
【００５５】
さらに図６に示されるように，ベース部材２０のうち，脚部材４０が固定される側の側壁には，その一部に，開口２２が形成されている。また，ベース部材２０には，その内側に，付勢部材６０が取り付けられている。付勢部材６０は，例えば，板状のゴム材やシリコン材などの弾性部材（可撓性部材）で構成することが好ましい。図６等に示した例において，付勢部材６０は，脚部材４０の回動軸と同一の方向に延びるように，引張された状態で，ベース部材２０に固定されている。具体的には，ベース部材２０には，内側の突出した２つの固定部２３が間隔を空けて設けられ，これらの２つの固定部２３に付勢部材６０が架橋された状態で固定されている。
【００５６】
図７は，図６に示したベース部材２０と，脚部材４０と，係止部材５０とを組み合わせた状態を示している。図７（ａ）は斜視図であり，図７（ｂ）は各部材を透過的に示した側面図である。図７に示されるように，脚部材４０をベース部材２０に対して起立させた状態（脚部材４０を展開させた状態）において，係止部材５０は，ベース部材２０と，脚部材４０の回動軸との間の位置に配置される。このベース部材２０と脚部材４０の回動軸との間の位置を，本願明細書では，「係止位置」と称している。係止位置に配置された状態において，係止部材５０の横軸部分５１は，脚部材４０の回動軸上に形成された平面部分４３と，互いに対面した状態で当接している。従って，係止部材５０が，係止位置に位置する状態において，脚部材４０は回動が阻止されている。つまり，係止部材５０の横軸部分５１と脚部材４０の平面部分４３が密着した状態にあるため，脚部材４０は係止部材５０によって阻害されて，自由に回動できなくなっている。これにより，脚部材４０は起立したままの状態で保持される。なお，図７（ｂ）に示されるように，ベース部材２０と脚部材４０と係止部材５０とを組み合わせた状態では，係止部材５０の縦軸部分５２が，ベース部材２０の開口２２に挿し込まれた状態となっている。
【００５７】
このように，脚部材４０が起立した状態にあるときに，係止部材５０を係止位置に配置することで，脚部材４０の回動が阻止されるため，脚部材４０が起立したまま保持される。従って，対象物の重量が重いような場合であっても，係止部材５０が係止位置からずれない限りは，脚部材４０が折り畳まれることはない。よって，脚部材４０が起立した状態を，安定化させることができる。
【００５８】
また，図７（ａ）に示されるように，係止部材５０は，付勢部材６０によって，係止位置に位置するように付勢されている。つまり，係止部材５０の縦軸部分５２が付勢部材６０に当接するようになっており，付勢部材６０が真っ直ぐに突っ張った状態にあるときには，係止部材５０が係止位置に位置するように調整されている。他方，係止部材５０の縦軸部分５２をベース部材２０の内部へと押しこむことで，付勢部材６０が撓んで，係止部材５０の横軸部分５１がベース部材２０の内部方向へとずれ込むようになっている。
【００５９】
図８（ａ）は，係止部材５０がベース部材２０の内部へと押し込まれて，付勢部材６０が撓んだ状態を示している。また，図８（ｂ）は，係止部材５０と付勢部材６０が連動する動きを示している。図８（ａ）及び図８（ｂ）に示されるように，係止部材５０の縦軸部分５２は，ベース部材２０の開口２２を通じて側壁の外部へと突出している。このため，係止部材５０の縦軸部分５２を押し込むことで，係止部材５０がベース部材２０の内部へとずれ込む。このとき，係止部材５０の縦軸部分５２が，付勢部材６０を押圧して撓ませる。そして，付勢部材６０が撓む程度まで係止部材５０をベース部材２０の内部へとずらすことで，係止部材５０は係止位置から外れる。その結果，脚部材４０のロックが解除されて，自由に回動できるようになる。
【００６０】
図９には，上記した係止部材５０の一連の動作がまとめて示されている。図９（ａ）は，係止部材５０が，係止位置にある状態を示している。つまり，脚部材４０がベース部材２０に対して起立している状態において，脚部材４０の回動軸上の平面部分４３に，係止部材５０の横軸部分５１が当接している。このため，脚部材４０がロックされて，脚部材４０の回動は，係止部材５０によって阻止されている。
【００６１】
図９（ｂ）は，係止部材５０が，係止位置からずれた状態を示している。すなわち，係止部材５０の縦軸部分５２をベース部材２０の内部方向へと押し込むことで，係止部材５０の横軸部分５１が，ベース部材２０の内部方向へとずれ込む。同時に，係止部材５０の縦軸部分５２が，ベース部材２０に固定されている付勢部材６０を押圧して，付勢部材６０を撓ませる。これにより，係止部材５０による脚部材４０のロックが解除されて，脚部材４０は自由に回動できるようになる。
【００６２】
図９（ｃ）は，脚部材４０が回動している状態を示している。上述したように，脚部材４０の回動軸上の中央には，一部に切欠き４４が形成されている。図９に示されるように，脚部材４０の切欠き４４は，係止部材５０の縦軸部分５２と対応する位置に形成されている。このため，脚部材４０が回動するときには，切欠き４４が存在することによって，脚部材４０と係止部材５０の接触が回避されている。すなわち，脚部材４０が回動するときには，係止部材５０の縦軸部分５２は，脚部材４０の切欠き４４を通過する。このため，係止部材５０を係止位置からずらすことで，図９（ｃ）に示されるように，脚部材４０を回動させることが可能となる。
【００６３】
図９（ｄ）は，脚部材４０を折り畳んだ状態を示している。脚部材４０を折り畳むことで，脚部材４０とベース部材２０の間に係止部材５０が収納される。このように，本発明の支持物品１００（改良例）は，コンパクトに折り畳むことが可能である。
【００６４】
次に，本発明の一実施形態に係る支持物品１００の変形例について説明する。
【００６５】
図１０〜図１２は，本発明の一実施形態に係る支持物品１００を対象物（鞄）の底面に取り付けた状態の例を示している。なお，図１２に示すように，対象物（鞄）の上下方向をX１X２方向とし，左右方向をY１Y２方向とし，前後方向をZ１Z２方向とする。
【００６６】
図１０〜図１２に示すように，支持物品１００は，ベース部材１２０と，２つの脚部材１４０Ａ，１４０Ｂとを備えている。
【００６７】
ベース部材１２０は，対象物（鞄）の底面に固定されている。固定方法については，どのような方法を用いてもよく，例えば，糊などの接着剤や粘着テープを用いて固着してもよいし，上述したように，内装部材１０と，ビス３１とを用いて内装部材１０とベース部材１２０を連結したり，磁力を用いて内装部材１０とベース部材１２０とを連結したりすることにより固定してもよい。ベース部材１２０は，プラスチック製であってもよいし，金属製であってもよい。
【００６８】
２つの脚部材１４０Ａ，１４０Ｂは，同一形状を有しており，それぞれベース部材１２０に左右対称となるように取付けられる部材である。２つの脚部材１４０Ａ，１４０Ｂは，プラスチック製であってもよいし，金属製であってもよい。
【００６９】
図１２に示すように，２つの脚部材１４０Ａ，１４０Ｂは，それぞれヒンジ構造をなすように，ベース部材１２０に固定されている。具体的には，脚部材１４０Ａ，１４０Ｂの回動軸に沿って，軸芯１４１が挿入されており，この軸芯１４１によって，脚部材１４０Ａ，１４０Ｂとベース部材１２０が連結している。脚部材１４０Ａ，１４０Ｂは，軸芯１４１の軸方向に沿った回動軸を有する。
【００７０】
このため， 脚部材１４０Ａのように，床接地面１４２が上方を向き，この床接地面１４２に対向する面である脚本体面１４３が下方を向くようにベース部材１２０内に収納された収納位置と，脚部材１４０Ｂのように，床接地面１４２が下方を向き，脚本体面１４３が上方を向く全回位置との間で回動軸を回動中心として，矢印の方向に回動自在に保持されている。脚部材１４０Ａ，１４０Ｂの回動軸は，平行となるように設けられており，脚部材１４０Ａ，１４０Ｂの先端が互いに向き合うようにベース部材１２０内に収納される。
【００７１】
対象物（鞄）は，図１０に示すような自立型の鞄である場合，その形状から前後方向（Z１Z２方向）に転倒し易い。そのため，脚部材１４０Ａ，１４０Ｂが，全回位置の場合に，ベース部材１２０から前後方向（Z１Z２方向）に向かって迫り出すように支持物品１００が対象物（鞄）の底面に取り付けられる。これにより，脚部材１４０Ａ，１４０Ｂが，支えとなって対象物（鞄）の前後方向（Z１Z２方向）への転倒を防止することができる。
【００７２】
図１３は，本発明の一実施形態に係る支持物品１００を模式的に示した側面図である。（ａ）は，脚部材１４０Ａ，１４０Ｂが収納位置にあるときの側面図であり，（ｂ）は，脚部材１４０Ａ，１４０Ｂが全回位置あるときの側面図である。なお，２つの脚部材１４０Ａ，１４０Ｂは同一の構成を有するので，単に脚部材１４０として以下説明する。
【００７３】
ここで，収納位置とは，図１３（ａ）に示すように，床接地面１４２が上方になるようにベース部材１２０内に収納された位置のことをいう。脚部材１４０が収納位置にあるとき，脚部材１４０はベース部材１２０内に完全に収納されているので，ユーザは脚部材１４０が邪魔になることなく対象物（鞄）を持ち歩くことができる。
【００７４】
また，脚部材１４０が収納位置にあるとき，回動軸（軸芯１４１）から対象物（鞄）と離反する方向（Ｘ２方向）におけるベース部材１２０の端部１２１までの長さｔ１より，回動軸（軸芯１４１）から脚部材１４０の脚本体面１４３までの長さｔ２の方が短くなっている。すなわち，長さｔ２より長さｔ１の方がｓ１だけ長くなっているので，脚部材１４０はベース部材１２０内に完全に収納されることになる。これにより，脚部材１４０がベース部材１２０内に収納されている状態で支持物品１００を含む対象物（鞄）が床面に載置されたとしても，脚部材１４０の脚本体面１４３が床面に接触することを防止することができる。そのため，脚本体面１４３を汚すことなく常に清潔な状態を保つことができる。
【００７５】
そして，図１３（ａ）に示す回動軸（軸芯１４１）を回動中心として，矢印の方向に脚部材１４０が回動されることにより，図１３（ｂ）に示す全回位置まで脚部材１４０を移動することができる。
【００７６】
脚部材１４０が全回位置にあるとき，回動軸（軸芯１４１）から対象物（鞄）と離反する方向（Ｘ２方向）におけるベース部材１２０の端部１２１までの長さｔ２より，回動軸（軸芯１４１）から床接地面１４２までの長さｔ３の方が長くなっている。すなわち，長さｔ２より長さｔ３の方がｓ２だけ長くなっている。
【００７７】
これにより，ベース部材１２０と，床接地面１４２を伸張した平面１４５との間に空隙Ｐが設けられる。そのため，脚部材１４０が全回位置のときに支持物品１００を含む対象物（鞄）が床面に載置されると，ベース部材１２０と床面との間に空隙Ｐが設けられるので，ベース部材１２０が床面に接することはない。
【００７８】
このように，脚部材１４０が全回位置のときには，ベース部材１２０が床面に接することはないので，ユーザは，床面を汚したくない場合，脚部材１４０を，図１３（ａ）に示した収納位置から，図１３（ｂ）に示した全回位置へ回動させた後に，対象物（鞄）を床面に載置することにより，床面を汚すことなく対象物（鞄）を載置することができる。
【００７９】
以上のように，屋外など床面が汚れている場合には，ユーザは，脚部材１４０を，図１３（ａ）に示した収納位置にした状態で対象物（鞄）を床面に載置することで，脚部材１４０の脚本体面１４３を汚すことなく対象物（鞄）を載置することができる。その一方，例えば客先など床面が汚したくない場所にいる場合には，ユーザは，脚部材１４０を，図１３（ｂ）に示した全回位置にした状態で対象物（鞄）を床面に載置することで，ベース部材１２０に付着した汚れで床面を汚すことなく対象物（鞄）を載置することができる。
【００８０】
図１４は，本発明の一実施形態に係る支持物品１００の平面図であり，図１５は，図１４に示したＡ−Ａ断面を示した拡大断面図である。
【００８１】
図１４，１５に示すように，ベース部材１２０には，ベース部材１２０の内側に向かって突出した係止板１２１が設けられている。この係止板１２１は平板形状を有し，一方の端部がベース部材１２０の内側に固定されている。また，係止板１２１の他方の端部には，後述する突起部１４６と係止するように，対象物（鞄）と離反する方向（Ｘ２方向）に先端が屈曲した先端係止部１２１ａが設けられている。
【００８２】
また，脚部材１４０には，係止板１２１の先端係止部１２１ａと対応する位置に，突起部１４６が設けられており，脚部材１４０が，収納位置にあるときに，図１５に示すように，係止板１２１の先端係止部１２１ａが突起部１４６と係止される。
【００８３】
図１６は，係止板１２１と突起部１４６との係止動作を模式的に示した図である。（ａ）は，係止板１２１と突起部１４６とが係止されていない状態を示した図であり，（ｂ）は，係止板１２１と突起部１４６とが係止された状態を示した図である。
【００８４】
図１６（ａ）に示した係止されていない状態から，ユーザが脚部材１４０の先端部を持ち上げるように矢印の方向に脚部材１４０を回動させると，やがて係止板１２１の先端係止部１２１ａが突起部１４６に接触する。
【００８５】
そして，先端係止部１２１ａが突起部１４６に接触した状態から，ユーザがさらに矢印の方向に脚部材１４０を回動させると，係止板１２１が上方に持ち上げられて先端係止部１２１ａが突起部１４６を乗り越え，図１５に示したように，係止板１２１の先端係止部１２１ａが突起部１４６と係止され，脚部材１４０の回動を阻止する。係止板１２１の先端係止部１２１ａが突起部１４６と係止されたとき，脚部材１４０が図１６（ｂ）に示すように全回位置にある。
【００８６】
換言すると，脚部材１４０が全回位置にあるときに，係止板１２１の先端係止部１２１ａが突起部１４６と係止されるように，係止板１２１と突起部１４６とが設けられている。
【００８７】
このように，脚部材１４０が全回位置にある場合に，脚部材１４０の回動を阻止する係止部材として，係止板１２１と突起部１４６とが設けられているので，脚部材１４０を全回状態で保持することができ，不用意に，脚部材１４０が展開してしまうことを防止できる。
【００８８】
また，支持物品１００は，脚部材１４０が収納位置にある場合に，脚部材１４０の回動を阻止する係止部材が設けられている。
【００８９】
図１７（ａ）は，本発明の一実施形態に係る支持物品１００の脚部材１４０が全回位置であるときの側面図であり，図１７（ｂ）は，脚部材１４０が収納位置であるときの側面図である。
【００９０】
図１７（ａ）に示すように，ベース部材１２０の両側の内部側面には，後述する突起１４７が嵌合するように受け溝１２３がそれぞれ設けられており，脚部材１４０の両側の外部側面には，受け溝１２３に対応する位置にそれぞれ突起１４７が設けられている。
【００９１】
そして，図１７（ａ）に示した脚部材１４０が全回位置である状態から，ユーザが脚部材１４０の先端部を押し下げるように矢印の方向に脚部材１４０を回動させ，脚部材１４０が収納位置まで移動されると，図１７（ｂ）に示すように，突起１４７が受け溝１２３嵌合する。これにより，脚部材１４０の回動を阻止する。
【００９２】
このように，脚部材１４０が収納位置にある場合に，脚部材１４０の回動を阻止する係止部材として，受け溝１２３と突起１４７とが設けられているので，脚部材１４０をベース部材１２０の内部に収納した状態で保持することができ，不用意に，脚部材１４０が展開してしまうことを防止できる。
【００９３】
また，ベース部材１２０の両側の内部側面に受け溝１２３が設けられており，脚部材１４０の両側の外部側面には突起１４７が設けられているので，目立ち難い。そのため，脚部材１４０の先端の形状はどのようなデザインでも採用することができるので，脚部材１４０のデザインの自由度が高いという効果がある。
【００９４】
なお，ここでは，ベース部材１２０の両側の内部側面に受け溝１２３がそれぞれ設けられ，脚部材１４０の両側の外部側面にはそれぞれ突起１４７が設けられた支持物品１００を例に挙げて説明したが，これに限らない。例えば，ベース部材１２０の片側の内部側面に受け溝１２３を設け，脚部材１４０の片側の外部側面に受け溝１２３に対応する位置に突起１４７が設けるようにしてもよい。
【００９５】
以上のように，本発明の一実施形態に係る支持物品１００によれば，屋外など床面が汚れている場合には，ユーザは，脚部材１４０を収納位置にした状態で対象物（鞄）を床面に載置することで，脚部材１４０の脚本体面１４３を汚すことなく対象物（鞄）を載置することができる。その一方，例えば客先など床面が汚したくない場所にいる場合には，ユーザは，脚部材１４０を，全回位置にした状態で対象物（鞄）を床面に載置することで，ベース部材１２０に付着した汚れで床面を汚すことなく対象物（鞄）を載置することができる。
【００９６】
本発明に係る支持物品１００は，対象物（鞄）に予め取り付けて対象物（鞄）とともに販売することもできるし，対象物（鞄）とは別売りとすることもできる。例えば，消費者は，支持物品１００を個別に購入して，既に自己で所有している対象物（鞄）に取り付けて使用することも可能である。従って，本発明によれば，汎用性の高い支持物品１００を提供することができる。
【００９７】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００９８】
本発明は，鞄等の対象物に取り付けて使用する支持物品に関する。従って，本発明は，鞄及びその付属品の製造業において好適に利用しうる。
【符号の説明】
【００９９】
１０…内装部材        ２０，１２０…ベース部材          ２１…爪部
２２…開口            ２３…固定部              ３０…連結部材
３１…ビス            ３２…ビス受け            ４０，１４０…脚部材
４１…軸芯            ４２…爪部                ４３…平面部分
４４…切欠き          ５０…係止部材            ５１…横軸部分
５２…縦軸部分        ６０…付勢部材            １００…支持物品
【図１】
2015222119.tif 000003
【図２】
2015222119.tif 000004
【図３】
2015222119.tif 000005
【図４】
2015222119.tif 000006
【図５】
2015222119.tif 000007
【図６】
2015222119.tif 000008
【図７】
2015222119.tif 000009
【図８】
2015222119.tif 000010
【図９】
2015222119.tif 000011
【図１０】
2015222119.tif 000012
【図１１】
2015222119.tif 000013
【図１２】
2015222119.tif 000014
【図１３】
2015222119.tif 000015
【図１４】
2015222119.tif 000016
【図１５】
2015222119.tif 000017
【図１６】
2015222119.tif 000018
【図１７】
2015222119.tif 000019